(57)【要約】【課題】顔の形や目の位置に応じてテンプルの位置が適切な位置に来るように調整することが可能な保護眼鏡を提供する。【解決手段】矯正眼鏡に重ねて装着する保護眼鏡１１であり、フレーム側係合部２１は、平板部２２を有し、該平板部２２には装着者の上下方向に複数の係合凹部が形成されている。また、テンプル側係合部３１は、平板部２２を挟持し弾性力により内側に付勢される挟持部３２を有し、挟持部３２には切欠部３６が形成され、切欠部３６は複数の溝部２３ａ〜２３ｃのうちの一つの係合する係合突起３７が設けられている。そして、係合突起３７を上下方向にスライドさせて溝部２３ａ〜２３ｃのうちの一つと係合させることにより、テンプル１３，１４を眼鏡フレーム１２に対して相対的に上下方向に平行移動させる。【選択図】      図１
2015090474.tif 000002
【特許請求の範囲】
【請求項１】
矯正眼鏡に重ねて装着する保護眼鏡において、
装着時に、前記矯正眼鏡の前面を覆うように配置されるフレームと、
前記フレームを装着者に装着するテンプルと、を有し、
前記フレームの側方部には、前記テンプルと係合するフレーム側係合部が形成され、
前記テンプルの根元部には、前記フレーム側係合部と係合するテンプル側係合部が形成され、
前記フレーム側係合部と、テンプル側係合部のうち、
一方の係合部は、平板部を有し、該平板部には装着者の上下方向に複数の係合凹部が形成され、
他方の係合部は、前記平板部を挟持し弾性力により内側に付勢される挟持部を有し、該挟持部には切欠部が形成され、前記切欠部は複数の係合凹部のうちの一つの係合する係合突起が設けられ、
前記係合突起を前記上下方向にスライドさせて前記係合凹部のうちの一つと係合させることにより、前記テンプルを前記フレームに対して相対的に上下方向に平行移動させることを特徴とする保護眼鏡。
【請求項２】
前記一方の係合部は、前記平板部の厚さ方向に段差を有する段差部を有し、前記他方の係合部は、前記段差部と接して前記テンプルのスライド移動をガイドするガイド部材を備えたことを特徴とする請求項１に記載の保護眼鏡。
【請求項３】
前記段差部は、前記上下方向に対して所定の角度を有する直線状に形成され、前記複数の係合凹部は、前記直線状に形成された段差部に沿って斜め方向に設けられていることを特徴とする請求項２に記載の保護眼鏡。
【請求項４】
前記テンプル側係合部には、外側に向くスライド用突起部が形成されていることを特徴とする請求項１〜請求項３のいずれか１項に記載の保護眼鏡。
【請求項５】
前記テンプルの先端部は、側面視で略直線形状とされていることを特徴とする請求項１〜請求項４のいずれか１項に記載の保護眼鏡。
【発明の詳細な説明】
【技術分野】
【０００１】
本発明は、矯正眼鏡の上に装着して装着者の目を保護する保護眼鏡に関する。
【背景技術】
【０００２】
例えば、工場の生産ライン等では、機械加工時に生じる粉塵や切り屑等が目に入ることを防止するために、作業者は保護眼鏡を着用する。また、近視用眼鏡や老眼鏡などの矯正眼鏡を装着している作業者のために、矯正眼鏡の上から着用することが可能な保護眼鏡が提案され、実用に供されている。
【０００３】
また、作業者によって顔の形や目の位置が異なるので、保護眼鏡が矯正眼鏡と干渉することがあり、このような問題を解決するために、眼鏡フレームに対してテンプルの角度を任意に切り替えることが可能な保護眼鏡が提案されている。
【０００４】
このような眼鏡の従来例として、例えば、実用新案第３０１０２３２号（特許文献１）に記載されたものが知られている。該特許文献１には、眼鏡フレームに対して、テンプルの角度を任意に切り替えることが可能な切り替え機構が設けられた保護眼鏡について記載されている。
【先行技術文献】
【特許文献】
【０００５】
【特許文献１】実用新案第３０１０２３２号
【発明の概要】
【発明が解決しようとする課題】
【０００６】
しかしながら、上述した特許文献１に開示された保護眼鏡では、ある点を中心としてテンプルを所定角度だけ回転させる構成であるので、矯正眼鏡との干渉を避けられないという問題が生じる。以下、図７（ａ）〜（ｃ）を参照して説明する。
【０００７】
図７（ａ）は、矯正眼鏡１０２の装着者が、該矯正眼鏡１０２の上から保護眼鏡１０１を装着した様子を模式的に示す説明図である。図７（ａ）に示すように、装着者は矯正眼鏡１０２を装着しているでの、この上から更に保護眼鏡１０１を装着すると、矯正眼鏡１０２のテンプル１０２ａと保護眼鏡１０１のテンプル１０１ａが干渉する場合があり、保護眼鏡１０１をうまく装着できない場合がある。
【０００８】
これを解決するために、図７（ｂ）に示すように、保護眼鏡１０１のテンプル１０１ａを、該テンプル１０１ａの根元部を中心として下方に回転させ、テンプル１０１ａの位置を相対的に高くすることにより、矯正眼鏡１０２のテンプル１０２ａとの干渉を回避することが考えられる。しかし、この場合には保護眼鏡１０１のフレーム角度が変化してしまい、装着性が悪くなる。
【０００９】
更に、図７（ｃ）に示すように、テンプル１０１ａを上方に回転させ、テンプル１０１ａの先端部が高い位置に来るようにすると、重量バランスが悪くなり安定性が悪く、装着者が俯いた場合等に保護眼鏡がずり落ち易くなるという問題が発生する。
【００１０】
本発明は、このような従来の課題を解決するためになされたものであり、その目的とするところは、装着者の顔の形や目の位置に応じてテンプルの位置が適切な位置に来るように調整することが可能な保護眼鏡を提供することにある。
【課題を解決するための手段】
【００１１】
上記目的を達成するため、本願請求項１に記載の発明は、矯正眼鏡に重ねて装着する保護眼鏡において、装着時に、前記矯正眼鏡の前面を覆うように配置されるフレームと、前記フレームを装着者に装着するテンプルと、を有し、前記フレームの側方部には、前記テンプルと係合するフレーム側係合部が形成され、前記テンプルの根元部には、前記フレーム側係合部と係合するテンプル側係合部が形成され、前記フレーム側係合部と、テンプル側係合部のうち、一方の係合部は、平板部を有し、該平板部には装着者の上下方向に複数の係合凹部が形成され、他方の係合部は、前記平板部を挟持し弾性力により内側に付勢される挟持部を有し、該挟持部には切欠部が形成され、前記切欠部は複数の係合凹部のうちの一つの係合する係合突起が設けられ、前記係合突起を前記上下方向にスライドさせて前記係合凹部のうちの一つと係合させることにより、前記テンプルを前記フレームに対して相対的に上下方向に平行移動させることを特徴とする。
【００１２】
請求項２に記載の発明は、前記一方の係合部は、前記平板部の厚さ方向に段差を有する段差部を有し、前記他方の係合部は、前記段差部と接して前記テンプルのスライド移動をガイドするガイド部材を備えたことを特徴とする。
【００１３】
請求項３に記載の発明は、前記段差部は、前記上下方向に対して所定の角度を有する直線状に形成され、前記複数の係合凹部は、前記直線状に形成された段差部に沿って斜め方向に設けられていることを特徴とする。
【００１４】
請求項４に記載の発明は、前記テンプル側係合部には、外側に向くスライド用突起部が形成されていることを特徴とする。
【００１５】
請求項５に記載の発明は、前記テンプルの先端部は、側面視で略直線形状とされていることを特徴とする。
【発明の効果】
【００１６】
請求項１に係る保護眼鏡によれば、一方の係合部に形成された平板部を、他方の係合部に形成された挟持部にて挟持し、更に、平板部に形成された複数の係合凹部のうちの一つに、挟持部に形成された係合突起が係合する。従って、一方の係合部に対して、他方の係合部を上下方向にスライド移動させることができ、装着者の顔の形や目の位置に応じて適切な位置にフレームを合わせることができ、更に、テンプルの位置を矯正眼鏡のテンプルと干渉しない位置に合わせることができる。
【００１７】
請求項２の発明では、一方の係合部に形成された平板部に段差部が設けられ、且つ、他方の係合部に形成されたガイド部材が段差部に沿ってスライドするので、テンプルを安定的に上下方向にスライド移動させることができる。
【００１８】
請求項３の発明では、段差部が上下方向に対して所定の角度を有する直線状に形成され、且つ、各係合凹部は、段差部に沿って斜め方向に設けられているので、テンプルを上方にスライド移動させるとこれに伴って、該テンプルを奥行き方向に移動させることができる。このため、テンプルを上方にスライド移動させる場合には、装着者の頭部に対してより深い位置までテンプルがとどくので、より安定的な装着が可能となる。
【００１９】
請求項４の発明では、テンプル側係合部には、外側に向くスライド用突起部が形成されるので、装着者はこのスライド用突起部をつまむことにより、容易にテンプル側係合部を上下方向にスライド移動させることが可能となる。
【００２０】
請求項５の発明では、テンプルの先端部が、側面視直線形状に形成されるので、矯正眼鏡のテンプルが装着者の耳にかかっている場合でも、このテンプルとの干渉を回避することができ、装着性を向上させることができる。
【図面の簡単な説明】
【００２１】
【図１】本発明の一実施形態に係る保護眼鏡の斜視図である。
【図２】本発明の一実施形態に係る保護眼鏡の上面図である。
【図３】本発明の一実施形態に係る保護眼鏡の、眼鏡フレームとテンプルとの係合部を示す斜視図である。
【図４】本発明の一実施形態に係る保護眼鏡の、眼鏡フレームとテンプルとの係合部を内側から視た斜視図であり、両者を切り離した様子を示す。
【図５】本発明の一実施形態に係る保護眼鏡の、眼鏡フレームとテンプルとの係合部を外側から視た斜視図であり、両者を切り離した様子を示す。
【図６】本発明の一実施形態に係る保護眼鏡を矯正眼鏡の上から装着したときの、干渉の様子を模式的に示す説明図である。
【図７】従来における保護眼鏡を矯正眼鏡の上から装着したときの、両者の干渉の状態を示す説明図である。
【発明を実施するための形態】
【００２２】
以下、本発明の実施形態を図面に基づいて説明する。図１は、本発明の一実施形態に係る保護眼鏡１１の構成を示す斜視図、図２は、同平面図（上から見た図）である。図１，図２に示すように、本実施形態に係る保護眼鏡１１は、装着者が矯正眼鏡（近視用眼鏡や老眼鏡）の装着時に、該矯正眼鏡の上から重ねて装着し、矯正眼鏡の前面を覆うことにより、装着者の目を保護するためのものであり、眼鏡フレーム１２（フレーム）と、該眼鏡フレーム１２の側方部に取り付けられるテンプル１３，１４から構成されている。
【００２３】
眼鏡フレーム１２は、透明なポリカーボネート製の材料で形成されており、矯正眼鏡を装着した装着者の、目の部分全体を覆う密閉形状とされている。また、装着者の鼻に当接する部位には、鼻パッド１５が設けられている。また、眼鏡フレーム１２の左右の側方部１２ａ，１２ｂには、それぞれテンプル１３，１４が取り付けられている。各テンプル１３，１４の先端部は内側に湾曲しており、他方、上下方向にはほぼフラットな形状とされている。つまり、テンプル１３，１４の先端部は、一般的な眼鏡のテンプルと異なり、先端部が下方に屈曲する形状とされていない。即ち、テンプル１３，１４は、側面視した際に、略直線形状とされている。そして、各テンプル１３，１４を装着者の耳、或いは頭部に係止させることにより、眼鏡フレーム１２を装着者の所望の部位に固定することができる。
【００２４】
図３は、眼鏡フレーム１２の側方部とテンプル１３の根元部との係合の様子を示す斜視図、図４は、両者を切り離した際の内側から見た斜視図、図５は、両者を切り離した際の外側から見た斜視図である。図３〜図５に示すように、眼鏡フレーム１２の側方部には、フレーム側係合部２１が設けられ、テンプル１３の根元部には、テンプル側係合部３１が設けられており、各係合部２１，３１が係合することにより、テンプル１３（右側）が眼鏡フレーム１２に係合する。なお、図１，図２に示したテンプル１４（左側）についても、左右が異なるのみであり同様の構成を有している。
【００２５】
図４，図５に示すように、フレーム側係合部２１は、平板形状をなす平板部２２を有しており、該平板部２２には、長方形状を有する３つの溝部２３ａ〜２３ｃ（係合凹部）が形成されている。これらの溝部２３ａ〜２３ｃは、眼鏡フレーム１２の上下方向に向けて形成されている。即ち、各溝部２３ａ〜２３ｃは、上下方向に向けて３つ設けられている。換言すれば、装着者が保護眼鏡１１を装着した際に、長方形状を有する各溝部２３ａ〜２３ｃの長手方向は、略水平方向を向くことになる。
【００２６】
また、平板部２２には、眼鏡フレーム１２の上下方向に対して若干の角度（所定の角度）で傾斜した段差部２４が形成されている。該段差部２４は、平板部２２の厚さ方向に段差を有しており、ほぼ直線状に形成されている。更に、各溝部２３ａ〜２３ｃは、段差部２４の傾斜角度と一致するように横方向にシフトして形成されている。即ち、図５に示すように、各溝部２３ａ〜２３ｃの端部を結ぶラインｍは、段差部２４の直線と略平行とされている。なお、本願発明の係合凹部としての溝部２３ａ〜２３ｃは、平板部２２をスリット状に切り欠いた切欠形状とすることも可能である。
【００２７】
一方、図４に示すように、テンプル１３の根元部には、テンプル側係合部３１が形成されている。該テンプル側係合部３１は、断面「コ」字形状を有し眼鏡フレーム１２に形成された平板部２２を、ある程度の弾性力をもって挟持する挟持部３２を有している。即ち、挟持部３２は、ある程度の弾性力を持って内側に付勢されている。また、テンプル側係合部３１は、フレーム側係合部２１と係合した際に段差部２４と接して挟持部３２のスライド移動をガイドするガイド部材３４と、テンプル１３を折り畳む際に該テンプル１３を約９０°回転させる回転軸となる蝶番３３と、テンプル１３の外側に突起して装着者が指で押さえるための突起部３５（図１，２参照、スライド用突起部）を有している。
【００２８】
また、挟持部３２の内側となる板材には、「コ」字形状に切り欠かれた切欠部３６が形成されており、且つ、該切欠部３６の内側には、上述した各溝部２３ａ〜２３ｃのうちのいずれか一つと係合する係合突起３７が形成されている。
【００２９】
従って、図３に示すように、眼鏡フレーム１２の側方部に設けられたフレーム側係合部２１と、テンプル１３の根元部に設けられたテンプル側係合部３１は、挟持部３２の弾性力にて平板部２２を挟持することにより係合する。また、切欠部３６に設けられた係合突起３７が、３つの溝部２３ａ〜２３ｃのうちのいずれかと係合することにより、テンプル１３の上下方向の移動が規制される。更に、テンプル側係合部３１に形成されたガイド部材３４と、フレーム側係合部２１に形成された段差部２４が接することにより、テンプル１３の長手方向の移動が規制される。従って、フレーム側係合部２１とテンプル側係合部３１が所望の位置関係で堅固に固定される。
【００３０】
次に、本実施形態に係る保護眼鏡１１の作用について説明する。上述したように、本実施形態に係る保護眼鏡１１は、眼鏡フレーム１２の側方部に設けられたフレーム側係合部２１の平板部２２を、テンプル側係合部３１に設けられた挟持部３２にて挟持することにより、テンプル１３が眼鏡フレーム１２に係合する。また、テンプル１３の根元部には、蝶番３３が設けられているので、テンプル１３を折り畳むことができる。
【００３１】
また、挟持部３２を上下方向にスライド移動させることにより、眼鏡フレーム１２に対するテンプル１３の位置を適宜変更することができる。即ち、テンプル１３の根元部に設けられた突起部３５を指でつまんで、挟持部３２を上下方向に押しつけると、切欠部３６が弾性変形して、係合突起３７が溝部（２３ａ〜２３ｃのいずれか）から乗り上げて、隣接する溝部に係合する。例えば、係合突起３７が溝部２３ｂに係合している状態で、突起部３５を押し上げると、係合突起３７が溝部２３ｂから外れ、一つ上の溝部２３ａに移動して係合する。
【００３２】
上記の操作を行うことにより、テンプル１３を眼鏡フレーム１２に対して上下方向に平行移動させることができる。なお、左側のテンプル１４についても同様である。この際、フレーム側係合部２１に形成された段差部２４に、テンプル側係合部３１に形成されたガイド部材３４が接して移動するので、テンプル１３を上方に移動させると、テンプル１３は眼鏡フレーム１２に対して相対的に後方に移動することになる。これとは反対に、テンプル１３を下方に移動させると、テンプル１３は眼鏡フレーム１２に対して相対的に前方に移動することになる。
【００３３】
つまり、図５に示すように、段差部２４は、ラインｍに示すように、鉛直方向に対して若干の角度だけ傾斜しているので、該段差部２４に接してガイド部材３４が移動することにより、テンプル１３は、図中矢印Ｙ１、或いはＹ２の方向に移動する。より詳細には、テンプル１３を上方にスライドさせると、これと同時にテンプル１３は矢印Ｙ１の方向に移動し、下方にスライドさせると、矢印Ｙ２の方向に移動する。
【００３４】
そして、装着者は、自身の好適な位置に眼鏡フレーム１２を配置し、更に、この状態で各テンプル１３，１４が矯正眼鏡のテンプルと干渉する場合には、突起部３５を指でつまんで上下に押しつけて、テンプル１３，１４の高さを調整することにより、テンプル１３，１４を好適な高さとすることができる。
【００３５】
従って、装着者は、例えば図６に示すように、矯正眼鏡１０２を装着し、更に、この上から保護眼鏡１１を装着する際に、矯正眼鏡１０２のテンプル１０２と保護眼鏡１１のテンプル１４が干渉する場合には、テンプル１４を上方にスライド移動させることにより、干渉を回避することが可能となる。
【００３６】
即ち、本実施形態に係る保護眼鏡１１は、各テンプル１３，１４を上下にスライド移動させて高さを調整できるので、矯正眼鏡１０２のテンプル１０２ａとの干渉を回避できることとなる。
【００３７】
このようにして、本実施形態に係る保護眼鏡１１では、テンプル側係合部３１に設けられた挟持部３２を、フレーム側係合部２１に設けられた平板部２２に対して上下方向にスライド移動させることにより、装着者自身の頭部形状に応じた位置にテンプル１３，１４を合わせることができる。つまり、テンプル１３，１４を上下方向に平行移動させて位置合わせを行うことができる。従って、従来のように、任意の点を中心としてテンプルを回転させる構造と対比して、眼鏡フレーム１２を好適な位置に合わせることができ、且つ、テンプル１３，１４を、矯正眼鏡と干渉しない好適な位置に合わせることができる。従って、装着者の顔や目の位置に応じた適切な位置合わせを行うことが可能となる。
【００３８】
また、本実施形態に係る保護眼鏡１１では、テンプル側係合部３１に、外側に突起した突起部３５（スライド用突起部）が形成されているので、装着者は、この突起部３５を指でつまむことにより、挟持部３２を容易に上下方向にスライド移動させることが可能となる。
【００３９】
更に、本実施形態では、上下方向に対して若干の角度だけ傾斜した方向に段差部２４が設けられ、更に、ガイド部材３４がこの段差部２４に接することにより、挟持部３２が上下方向にスライド移動するので、挟持部３２を上下方向にスライド移動させることに伴って、テンプル１３，１４は図５の矢印Ｙ１，Ｙ２の方向に移動することになる。つまり、テンプル１３，１４が上方にスライドするに連れて、テンプル１３，１４の奥行きが深くなるので、装着者の頭部に係止し易くなる。このため、装着者が俯いた際に、保護眼鏡１１がずり落ちる等の問題を回避することができる。
【００４０】
また、本実施形態では、テンプル１３，１４の先端部が内側に湾曲しており、他方、上下方向には湾曲していない。即ち、側面視した際に、略直線形状とされている。従って、テンプル１３，１４を装着者の耳に係合させるのではなく、頭部に巻き付けるようにして装着するので、矯正眼鏡のテンプルとの干渉をより効果的に回避することが可能となる。
【００４１】
なお、上述した実施形態では、フレーム側係合部２１に平板部２２、溝部２３ａ〜２３ｃ、及び段差部２４を形成し、テンプル側係合部３１に挟持部３２、ガイド部材３４、切欠部３６、係合突起３７を設ける構成としたが、これらの配置を反対とすることも可能である。即ち、テンプル側係合部３１に平板部、複数の溝部、及び段差部を形成し、フレーム側係合部２１に挟持部、ガイド部材、切欠部、係合突起を設ける構成とすることも可能である。
【００４２】
つまり、本願発明に係る保護眼鏡は、フレーム側係合部と、テンプル側係合部のうち、一方の係合部は、平板部を有し、該平板部には装着者の上下方向に複数の係合凹部が形成され、他方の係合部は、前記平板部を挟持し弾性力により内側に付勢される挟持部を有し、該挟持部には切欠部が形成され、前記切欠部は複数の係合凹部のうちの一つの係合する係合突起が設けられる構成である。
【符号の説明】
【００４３】
１１  保護眼鏡
１２  眼鏡フレーム
１３，１４  テンプル
１５  鼻パッド
２１  フレーム側係合部
２２  平板部
２３ａ〜２３ｃ  溝部（係合凹部）
２４  段差部
３１  テンプル側係合部
３２  挟持部
３３  蝶番
３４  ガイド部材
３５  突起部（スライド用突起部）
３６  切欠部
３７  係合突起
【図１】
2015090474.tif 000003
【図２】
2015090474.tif 000004
【図３】
2015090474.tif 000005
【図４】
2015090474.tif 000006
【図５】
2015090474.tif 000007
【図６】
2015090474.tif 000008
【図７】
2015090474.tif 000009